(57)【要約】【課題】人の立ち座り動作を的確にサポートしてその安全性及び容易性を確保し得るようにした補助手摺装置を提供する。【解決手段】略平板状のベース材１と、該ベース材１の一方の側縁部１ａ寄りの所定高さ位置において固定配置された固定手摺材６と、略水平面内で回動可能とされ且つ格納時位置Ａと使用時位置Ｂにおいて固定保持可能とされた可動手摺材７を備える。係る構成によれば、可動手摺材７を格納時位置Ａに固定保持した状態では、上記固定手摺材６と可動手摺材７が歩行用手摺として機能し、歩行の安全性が確保される。また、可動手摺材７を該使用時位置Ｂで固定保持した状態では、使用者の側方に固定手摺材６が、前方に可動手摺材７が位置することから、これらを支えとすることで使用者の容易且つ安全な立ち座りが実現される。【選択図】図１
2010005077.tif 000002
【特許請求の範囲】
【請求項１】
略平板状のベース材（１）と、
該ベース材（１）の一方の側縁部（１ａ）寄りの所定高さ位置において該側縁部（１ａ）に沿って略水平に延出するように支持材（２），（３）を介して固定配置された略平板状の固定手摺材（６）と、
上記固定手摺材（６）の前端部（６ｂ）寄り位置を回動支点（９）として略水平面内で回動可能とされ且つ少なくとも上記回動支点（９）から上記固定手摺材（６）の延設方向の前方側へ延出する格納時位置（Ａ）と該回動支点（９）から上記ベース材（１）の他方の側縁部（１ｂ）側へ延出する使用時位置（Ｂ）においてそれぞれ固定保持可能とされた略平板状の可動手摺材（７）と、
を備えたことを特徴とする補助手摺装置。
【請求項２】
請求項１において、
上記可動手摺材（７）の上記回動支点（９）から先端（７ｂ）側へ離間した位置に、該可動手摺材（７）を上記ベース材（１）側に支持させる補助支持材（１５）が設けられるとともに、
該補助支持材（１５）の下端にはキャスタ（１６）が備えられていることを特徴とする補助手摺装置。
【請求項３】
請求項１又は２において、
上記支持材（２），（３）及び上記補助支持材（１５）が、共に高さ調整可能とされていることを特徴とする補助手摺装置。
【請求項４】
請求項１、２又は３において、
上記可動手摺材（７）は、湾曲した平面形体をもち、表裏反転させて上記回動支点（９）に取付け得るように構成されていることを特徴とする補助手摺装置。
【発明の詳細な説明】
【技術分野】
【０００１】
本願発明は、立ち座り動作を必要とする機器に付設することで、該機器の使用者の立ち座り動作を補助するための補助手摺装置に関するものである。
【背景技術】
【０００２】
トイレ設備として、従来から種々の形態が提案されているが、その中でも、使用時における身体的負担を軽減する形態として、着座式トイレが広く普及しており、特に高齢者等の身体的機能が低下した者にとっては極めて好ましい形態といえる。
【０００３】
しかし、この着座式トイレにあっても、使用者の身体的負担が皆無とされるものではなく、用便時における身体的負担が軽減されるものの、その使用に際しての便座への着座動作及び離座動作に伴う身体的負担は依然として残るものである。このため、トイレの安全且つ容易な使用を実現する上においては、人の立ち座りを補助するための手摺装置の設置が必要と考えられ、係る観点から、固定設置される固定トイレ及び非設置で持ち運び可能な簡易トイレのそれぞれについて多くの提案がなされている（例えば、特許文献１〜３参照）。
【０００４】
特許文献１に示されるものは、着座式の固定トイレ用の手摺装置であり、特許文献２及び特許文献３に示されるものは、着座式の簡易トイレ用の手摺装置である。
【特許文献１】特開平１１−３２４０７８号公報
【特許文献２】実開平５−２３９９７号公報
【特許文献３】特開平１１−１６９３２１号公報
【発明の開示】
【発明が解決しようとする課題】
【０００５】
ここで、簡易トイレに着目すれば、この簡易トイレの使用者は、高齢者とか病人のように、距離の離れた場所に設置された固定トイレまで移動してこれを使用することは困難であるが、短い距離なら自分で移動して用を足せるというような者であることが多く、簡易トイレをベッドの近傍に設置して使用するのが通例である。従って、このような使用者の身体的条件、設置条件等に照らせば、簡易トイレには手摺装置の付設が必須であるといえる。このような背景から、特許文献２及び特許文献３に示されるような、簡易トイレ用の手摺装置が提案されている。
【０００６】
一方、便座に座った人が立ち上がる場合、あるいは便座の前側に立っている人が便座に座る場合には、前後方向への身体の移動を伴うため、体重を身体前方側で支えるとか、身体に前後方向の力を加えてこれを引き上げることができることが好ましい。
【０００７】
しかるに、上掲の特許文献２とか特許文献３に示される従来の簡易トイレ用の手摺装置では、手摺が簡易トイレの側方に肘掛け材として設けられているのみで、その前方側、即ち、便座に座った使用者の前面側には設けられていないため、便座への立ち座り動作のサポート効果として多くは望めないものである。
【０００８】
そこで本願発明は、人の立ち座り動作を必要とする機器に付設される補助手摺装置において、立ち座り動作を的確にサポートしてその安全性及び容易性を確保することを目的としてなされたものである。
【課題を解決するための手段】
【０００９】
本願発明ではかかる課題を解決するための具体的手段として次のような構成を採用している。
【００１０】
本願の第１の発明では、略平板状のベース材１と、該ベース材１の一方の側縁部１ａ寄りの所定高さ位置において該側縁部１ａに沿って略水平に延出するように支持材２，３を介して固定配置された略平板状の固定手摺材６と、上記固定手摺材６の前端部６ｂ寄り位置を回動支点９として略水平面内で回動可能とされ且つ少なくとも上記回動支点９から上記固定手摺材６の延設方向の前方側へ延出する格納時位置Ａと該回動支点９から上記ベース材１の他方の側縁部１ｂ側へ延出する使用時位置Ｂにおいてそれぞれ固定保持可能とされた略平板状の可動手摺材７を備えたことを特徴としている。
【００１１】
係る構成によれば、上記ベース材１の一方の側縁部１ａと他方の側縁部１ｂの間に、使用者の立ち座り動作を必要とする機器、例えば、着座式の簡易トイレＸを設置した場合には、上記可動手摺材７を格納時位置Ａに設定し且つ固定保持した状態では、上記固定手摺材６と可動手摺材７が上記簡易トイレＸの側部において前後方向へ連続的に延設されることから、上記簡易トイレＸを使用するために使用者が上記ベース材１の前縁部１ｄ側から、あるいは他方の側縁部１ｂ側から上記簡易トイレＸ側へ歩いて移動する場合、及び上記簡易トイレＸを使用した後に使用者が上記簡易トイレＸ側から上記ベース材１の前縁部１ｄ側へ、あるいは他方の側縁部１ｂ側へ歩いて移動する場合において、該使用者はこれら固定手摺材６及び可動手摺材７を伝って歩くことで、上記簡易トイレＸまで安全に移動することができ、その歩行動作における安全性が確保される。
【００１２】
また、使用者が所定の着座位置まで進入したあと、上記可動手摺材７を格納時位置Ａから使用時位置Ｂへ位置変更して該使用時位置Ｂで固定保持すると、使用者の側方には上記固定手摺材６が、前方には上記可動手摺材７が横設状態で、それぞれ位置しているので、使用者は、上記便座４２への立ち座り時に上記可動手摺材７に手を掛けてこれを手前に引き寄せるように力を入れながら腰を落とす、あるいは腰を上げることで、腰等に余分な負担をかけることなく、上記便器４２に着座し、あるいは該便器４２から立ち上がることができる。
【００１３】
また、上記ベース材１上に簡易トイレＸを設置し、上記ベース材１側に設けられた上記固定手摺材６及び可動手摺材７を使用するものであることから、上記補助手摺装置Ｚの上記簡易トイレＸへの取付けが簡単であり、特に簡易トイレＸの設置場所を変える機会の多いような使用条件下においては好適である。
【００１４】
本願の第２の発明では、上記第１の発明に係る補助手摺装置において、上記可動手摺材７の上記回動支点９から先端７ｂ側へ離間した位置に、該可動手摺材７を上記ベース材１側に支持させる補助支持材１５を設けるとともに、該補助支持材１５の下端にキャスタ１６を備えたことを特徴としている。
【００１５】
係る構成によれば、上記補助支持材１５を設けることで、上記可動手摺材７が片持ち支持となるのが回避され、それだけ上記可動手摺材７の手摺としての剛性が向上し、使用時の安全性及び信頼性が向上する。また、上記補助支持材１５の下端に上記キャスタ１６が設けられていることで、上記可動手摺材７の回動操作を軽快且つ容易に行うことができ、延いては補助手摺装置Ｚの使用時における利便性が確保される。
【００１６】
本願の第３の発明では、上記第１又は第２の発明に係る補助手摺装置において、上記支持材２，３及び上記補助支持材１５を、共に高さ調整可能に構成したことを特徴としている。
【００１７】
係る構成によれば、上記補助手摺装置Ｚが適用される機器を使用する場合における人の体格等に上記固定手摺材６及び可動手摺材７の高さを合わせることができ、延いては上記補助手摺装置Ｚの適用範囲の拡大、及び的確な使用性が確保され、その商品価値がさらに高められる。
【００１８】
本願の第４の発明では、上記第１、第２又は第３の発明に係る補助手摺装置において、上記可動手摺材７を、湾曲した平面形体をもち、表裏反転させて上記回動支点９に取付け得るように構成したことを特徴としている。
【００１９】
係る構成によれば、上記可動手摺材７が湾曲した平面形体をもつものであっても、これを表裏反転させて使用することで、該補助手摺装置Ｚをその基本構成を変更することなく、上記固定手摺材６及び可動手摺材７が上記ベース材１に対してその左側に位置する左勝手の形態と、右側に位置する右勝手の形態とを任意に選択して使用することができ、部材の共用化に基づく低コスト化が促進されるとともに、使用上における利便性が向上することになる。
【発明の効果】
【００２０】
以上のように、本願発明に係る補助手摺装置Ｚを、立ち座り動作を必要とする機器に付設することで、該機器を使用する人の立ち座り動作を的確にサポートしてその安全性及び容易性を確保することができるものである。
【発明を実施するための最良の形態】
【００２１】
以下、本願発明を好適な実施形態に基づいて具体的に説明する。
【００２２】
図１〜図３には、本願発明の実施形態に係る補助手摺装置Ｚを簡易トイレＸに適用した状態を示している。
Ｉ：  補助手摺装置Ｚの構成
上記補助手摺装置Ｚは、図１に示すように、ベース材１に固定手摺材６と可動手摺材７を取付けて構成される。
【００２３】
上記ベース材１は、矩形平板状の形体を有するもので、後述する簡易トイレＸを載置し得るような幅寸法と該簡易トイレＸに着座した使用者の膝先スペースを確保し得るような大きさ、及び所要の安定性を確保し得るような重量を備えている。
【００２４】
上記ベース材１の左側縁部１ａ寄りには、その後縁部１ｃ寄りに位置する第１支柱２と前縁部１ｄ寄りに位置する第２支柱３が、それぞれ上記ベース材１に固定された固定ブラケット４，５を介して立設配置されている。そして、これら各支柱２，３の上端には、次述の固定手摺材６が取付けられている。
【００２５】
また、上記各支柱２、３の高さ、即ち、上記固定手摺材６の高さは、上記各固定ブラケット４、５に設けた調整ボルト２１、２２によって増減調整を行なえるようになっている。なお、上記各支柱２、３は、特許請求の範囲中の「支持材」に該当する。
【００２６】
上記固定手摺材６は、所定厚さの帯状の平板材で一体形成されており、その長辺側の二つの側面は、長手方向中心線に対して線対称の湾曲形状とされている。そして、この固定手摺材６は、その一端部６ａが上記第１支柱２の上端に対して適宜の固定具８を介して固定され、また他端部６ｂは操作部１０を備えた後述の連結具９を介して、次述の可動手摺材７の基端部７ａとともに固定されている。
【００２７】
上記可動手摺材７は、所定厚さの湾曲帯状の平板材で一体形成されており、その基端部７ａは、上記連結具９を介して上記固定手摺材６の他端部６ｂ側に回動自在に連結されている。従って、この実施形態においては、上記連結具９は上記可動手摺材７の回動支点として機能する。
【００２８】
そして、この可動手摺材７は、上記連結具９の機能に基づいて、図１に実線図示するように上記固定手摺材６の長手方向（延設方向）に沿うように前方側へ延出する「格納時位置Ａ」と、同図に鎖線図示するように上記固定手摺材６に略直交するように上記ベース材１の左側縁部１ａ側から右側縁部１ｂ側へ向けて横設状態で延出する「使用時位置Ｂ」の二位置において固定保持可能とされている。
【００２９】
さらに、上記可動手摺材７の上記基端部７ａ寄り位置には、その下端にキャスタ１６を備えた補助支柱１５（特許請求の範囲中の「補助支持材」に該当する）が取付けられている。この補助支柱１５は、上記可動手摺材７側に位置する固定材１５ａと、上記キャスタ１６が設けられ上記固定材１５ａに内挿された可動材１５Ｂで構成され、該固定材１５ａ側に設けた調整ボルト２３の調整によってその長さ、即ち、上記可動手摺材７の支持高さを増減調整できるようになっている。
【００３０】
また、上記補助支柱１５は、上記第２支柱３の間隔を常時適正に保持すべく、連結材１７を介して上記第２支柱３に連結されている。尚、この場合、上記補助支柱１５は上記可動手摺材７と一体的に上記連結具９回りに回動することから、該連結材１７を上記第２支柱３側に連結する可動ブラケット１８は、該第２支柱３に対して相対回動可能に構成されている。
【００３１】
一方、上記可動手摺材７には、付帯部材として、操作ノブ１３が上記可動手摺材７の先端部７ｂに取付けられるとともに、トイレットペーパ２０を保持するペーパホルダー１４が上記可動手摺材７の長手方向の中間位置に取付けられている。
【００３２】
尚、上記可動手摺材７は、上述のように、これを表裏反転させて上記連結具９に連結して使用することができるようになっていることから、これに対応すべく、上記可動手摺材７の上記連結具９の取付部分と上記補助支柱１５の取付部分と上記操作ノブ１３の取付部分及び上記ペーパホルダー１４の取付部分は、それぞれ上記可動手摺材７の表裏両面の何れ側からも取付けられるように構成されている。
【００３３】
また、図１及び図２には、上記固定手摺材６に対して上記可動手摺材７が右方向に延出する「右勝手」の使用形態を示しているが、上述のように上記可動手摺材７を表裏反転させて用いることができるように構成したことで、図３に示すように、上記固定手摺材６に対して上記可動手摺材７が左方向に延出する「左勝手」の使用形態とすることができるものであり、係る使用形態は使用者の要求によって容易に選択設定することができる。
【００３４】
ここで、上記連結具９の構造について、図４及び図５を参照して簡単に説明する。
【００３５】
図４において、上記固定手摺材６の他端部６ｂには、上記第２支柱３の上端に固定したロックプレート３４と上記固定手摺材６の下面側に衝合した押えプレート３６によって該固定手摺材６を挟着することで、上記第２支柱３が固定されている。尚、上記ロックプレート３４には、図５に示すように周方向に等間隔で４個のロック孔３４ａが設けられている。
【００３６】
一方、上記第２支柱３の内側にはガイド筒３２が配置されている。このガイド筒３２の上端側の内部には摺動子３５が取付けられるとともに、該摺動子３５にはガイドピン３１及びスプリング３０を介して上記操作部１０が出没可能に取付けられている。さらに、上記操作部１０の周方向の二位置には、それぞれロック部材３３が取付けられている。このロック部材３３は、上記可動手摺材７に対して上下方向にスライド可能とされている。また、上記各ロック部材３３の下端部には、逃げ部３３ａと係止爪３３ｂが形成されている。
【００３７】
ここで、上記固定手摺材６に対して上記可動手摺材７を所定に回動位置で固定した状態では、図４及び図５のそれぞれ左半部に示すように、上記スプリング３０の付勢力で上記操作部１０が上方へ突出し、上記ロック部材３３の係止爪３３ｂが上記ロックプレート３４の所要のロック孔３４ａに係入しており、これら両者の係合作用によって上記固定手摺材６に対して上記可動手摺材７が所定の回動位置で固定保持される。
【００３８】
これに対して、上記操作部１０を押込むと、図４及び図５のそれぞれ右半部に示すように、上記ロックプレート３４が上記ロック部材３３の逃げ部３３ａに嵌入し上記ロックプレート３４と上記ロック部材３３の係合状態が解除され、上記可動手摺材７は上記固定手摺材６に対して相対回動できる状態となる。そして、所要の回動位置で上記操作部１０の押込み力を消滅させると、該操作部１０は上記スプリング３０の付勢力で上方へ突出し、再び固定保持状態とされる。
【００３９】
なお、この実施形態の連結具９は、上記格納時位置Ａと使用時位置Ｂの二位置を含む四位置で固定保持し得るようになっている。
ＩＩ：簡易トイレＸの構成
上記簡易トイレＸは、前後左右の四つの脚４５，４６と左右一方の肘掛け４８を備えた家具調の外観形体をもつ本体４０内に、便器４１と便座４２を収納配置するとともに、該便座４２の上側をクッション性の便蓋４３で開閉可能に覆って構成される。また、上記各脚４５，４６の長さは、これらにそれぞれ設けられた調整ボルトによって個別に調整可能とされている。
【００４０】
尚、この簡易トイレＸは、使用に際して使用者の立ち座り動作を必要とする機器の一例として挙げたものであって、その構造に制約されるものではなく、また他の機器と置き換えることもできるものである。
ＩＩＩ：  補助手摺装置Ｚの設置作業
ここでは、上記補助手摺装置Ｚを上記簡易トイレＸの補助手摺として使用する場合を例にとって説明する。
【００４１】
使用に際しては、先ず、上記補助手摺装置Ｚを左勝手で使用するのか、右勝手で使用するのか、その使用勝手を決定し、決定された使用勝手に対応するように、上記可動手摺材７の表裏を選択し、これを上記固定手摺材６の他端部６ｂ側に上記連結具９によって取付ける。さらに、この可動手摺材７に対して上記補助支柱１５を取付け、これを上記連結材１７によって上記第２支柱３に連結する。また、上記可動手摺材７の表裏方向に対応させて上記操作ノブ１３及び上記ペーパホルダー１４を取付ける。
【００４２】
上記補助手摺装置Ｚの使用勝手に対応した設定作業が完了すると、次に、該補助手摺装置Ｚを、上記簡易トイレＸの設置予定位置に載置する。しかる後、上記簡易トイレＸを、その左右の前脚４５、４５を上記補助手摺装置Ｚのベース材１の後縁部１ｃ寄りに載置する。この場合、上記ベース材１の高寸法だけ、上記簡易トイレＸの前部側と後部側との間に高低差が生じるため、この高低差を解消するように、上記前脚４５と後脚４６の高さ調整を行う。
【００４３】
さらに、上記補助手摺装置Ｚに対する上記簡易トイレＸの平面方向における位置調整を行う。この場合、必要に応じて、上記補助手摺装置Ｚと上記簡易トイレＸを、適宜の固定具（図示省略）を用いて固定する。
【００４４】
上記補助手摺装置Ｚの所定位置に上記簡易トイレＸをセットした後、該簡易トイレＸの便座４２の高さと使用者の体格等を考慮して、上記補助手摺装置Ｚの上記固定手摺材６と上記可動手摺材７の高さを調整する。
【００４５】
以上で、上記簡易トイレＸと上記補助手摺装置Ｚの設置作業が完了する。なお、上記補助手摺装置Ｚを左勝手で使用する場合における設置完了状態を図２に、右勝手で使用する場合における設置完了状態を図３に、それぞれ示している。
ＩＶ：補助手摺装置Ｚの使用状態の説明
ここで、上記簡易トイレＸを使用する場合における上記補助手摺装置Ｚの使用状態を説明する。
【００４６】
（１）簡易トイレＸ側への使用者の移動及び便座への着座
使用者が上記簡易トイレＸを使用するために、該簡易トイレＸ側へ歩いて移動し、その便座４２に着座する場合には、先ず、上記可動手摺材７を格納時位置Ａに設定し、これを固定保持する。
【００４７】
この状態では、上記固定手摺材６と可動手摺材７が上記簡易トイレＸの側部において前後方向へ連続的に延設されている。従って、使用者は、上記簡易トイレＸの前方側（上記ベース材１の前縁部１ｄ側）から、あるいは横側（上記ベース材１の他方の側縁部１ｂ側）から歩いて該簡易トイレＸ側へ進入する場合、上記固定手摺材６及び可動手摺材７を伝って歩行することで、上記簡易トイレＸまで安全に移動することができる。
【００４８】
使用者が上記簡易トイレＸ側の所定位置まで進入した時点で、上記可動手摺材７を格納時位置Ａから使用時位置Ｂへ位置変更し、該使用時位置Ｂで固定保持する。このとき、使用者は、上記簡易トイレＸと上記可動手摺材７の間のスペース内に位置している。ここで使用者は、上記便器４２に着座できるように（即ち、上記便器４２が背面に、上記可動手摺材７が前面に、それぞれ位置するように）、体の向きを変える。
【００４９】
この状態においては、使用者の側方には上記固定手摺材６が、前方には上記可動手摺材７が横設状態で、それぞれ位置している。従って、使用者が立ち姿勢から上記便座４２に着座する場合には、上記固定手摺材６と上記可動手摺材７を支えとして腰を落とすことで、容易に且つ安全に着座することができる。
【００５０】
この場合、特に、上記可動手摺材７が使用者の前方において横設状態で配置されていることから、使用者は、上記便座４２への立ち座り時に上記可動手摺材７に手を掛けてこれを手前に引き寄せるように力を入れながら腰を落とすことで、腰等に余分な負担をかけることなく、体が後方へ移動し、ごく自然な動きで容易に上記便器４２に着座することができ、着座動作時の安全性がさらに高められることになる。
【００５１】
なお、上記便座４２に着座しての用便時には、上記簡易トイレＸに備えられた肘掛け４８の他に、上記補助手摺装置Ｚの上記固定手摺材６とか上記可動手摺材７に腕を預けることもできる。特に、上記可動手摺材７に腕を預けた場合には、該可動手摺材７が使用者の前方側に在ることから、必然的に上体が前傾する姿勢となり、適度に腹部を圧迫することから排便が促進され、ここに上記可動手摺材７の有用性が認められる。
【００５２】
（２）着座状態からの立ち上がり動作
上記簡易トイレＸでの用便後、上記便座４２から立ち上がって移動する場合は、先ず上体を前傾させて上記可動手摺材７に手を掛け、これを引き付けるようにしながら腰を浮かせると、腰等に余分な負担をかけることなく、体が前方へ移動し、ごく自然な動きで容易に立ち上がることができる。この際、同時に上記固定手摺材６に腕を預けて体重の移動をサポートさせることで、より一層容易に立ち上がることができる。
【００５３】
立ち上がった後、上記可動手摺材７を使用時位置Ｂから格納時位置Ａへ変更し、これを固定保持させる。この状態では、上記固定手摺材６と可動手摺材７が上記簡易トイレＸの側部において前後方向へ連続的に延設されているので、使用者は、上記固定手摺材６及び可動手摺材７を伝って歩くことで、安全且つ容易に上記簡易トイレＸ及び上記補助手摺装置Ｚから離れることができる。以上で着座状態からの立ち上がり動作が官僚する。
【００５４】
なお、使用者が上記補助手摺装置Ｚから離れた後、上記可動手摺材７はそのまま格納時位置Ａに保持され、次回の簡易トイレＸの使用に備える。
Ｖ：その他
（ａ）  上記実施形態においては、上記固定手摺材６を支持する支持材として上記各支柱２，３を採用しているが、本願発明は係る構成に限定されるものではなく、他の実施形態においては、例えば、上記支持材として壁面状の板材を用いるなど、適宜に変更設定できるものである。
【００５５】
（ｂ）  上記実施形態においては、上記簡易トイレＸの前脚４５を上記補助手摺装置Ｚの上記ベース材１上に乗せ掛けた状態でセットするようにしているが、係る構成に限定されるものではなく、例えば、上記ベース材１の一部を切り欠き、この切り欠き部分に上記簡易トイレＸの前部を対応させてセットすることも可能である。係る構成によれば、上記簡易トイレＸ側での高さ調整が不要になることから、例えば、脚をもたない通常タイプの簡易トイレに適用する場合に好適である。
【図面の簡単な説明】
【００５６】
【図１】本願発明の実施の形態に補助手摺装置とこれが適用される簡易トイレの組合せ前の状態を示す斜視図である。
【図２】図１に示した補助手摺装置を右勝手として簡易トイレに組み合わせた使用状態を示す斜視図である。
【図３】図１に示した補助手摺装置を左勝手として簡易トイレに組み合わせた使用状態を示す斜視図である。
【図４】図１に示した連結具の構造を示す拡大断面図である。
【図５】図４のＶ−Ｖ矢視図である。
【符号の説明】
【００５７】
１      ・・ベース材
２      ・・第１支柱（支持材）
３      ・・第２支柱（支持材）
４      ・・固定ブラケット
５      ・・固定ブラケット
６      ・・固定手摺材
７      ・・可動手摺材
８      ・・固定具
９      ・・連結具
１０    ・・操作部
１３    ・・操作ノブ
１４    ・・ペーパホルダー
１５    ・・補助支柱（補助支持材）
１６    ・・キャスタ
１７    ・・連結材
１８    ・・可動ブラケット
１９    ・・固定ブラケット
２０    ・・トイレットペーパ
２１    ・・調整ボルト
２２    ・・調整ボルト
２３    ・・調整ボルト
Ｘ    ・・簡易トイレ
Ｚ    ・・補助手摺装置
【図１】
2010005077.tif 000003
【図２】
2010005077.tif 000004
【図３】
2010005077.tif 000005
【図４】
2010005077.tif 000006
【図５】
2010005077.tif 000007